(57)【特許請求の範囲】
【請求項１】
ソース媒体から高速再生された対象情報を記録媒体に複製記録する記録装置において、
複製記録を行ったソース媒体を特定する総トラック数情報および総再生時間情報からなるユニーク情報および、複製記録を行った対象情報の範囲を特定する絶対時間情報に基づく開始時間／終了時間からなる特定情報を記憶するメモリ手段と、
前記メモリ手段に記憶されたユニーク情報とソース媒体に記録された総トラック数情報および総再生時間情報とを比較してソース媒体の同一性を調べ、同一のソース媒体である場合には、前記メモリ手段に記憶された特定情報と対象情報の絶対時間による開始時間とを比較して当該開始時間が複製記録を行った対象情報の範囲内であるかを調べ、範囲内である場合には、記録媒体への複製記録を禁止し、同一のソース媒体でない場合、および当該開始時間が範囲内でない場合には、記録媒体への複製記録を許可する情報確認手段と、
前記情報確認手段により複製記録が許可された場合にのみ、ソース媒体から再生された対象情報を記録媒体に複製記録する記録動作制御手段と、
前記記録動作制御手段により複製記録を行ったソース媒体に対応するユニーク情報および、複製記録を行った対象情報の範囲に対応する特定情報を前記メモリ手段に格納させる情報記憶制御手段と、
を具備することを特徴とする記録装置。
【請求項２】
ソース媒体から高速再生された各楽曲を記録媒体に複製記録する記録装置において、
複製記録を行ったソース媒体を特定する総トラック数情報および総再生時間情報からなるユニーク情報および、複製記録を行った各楽曲を特定する絶対時間情報に基づく開始時間／終了時間からなる特定情報を記憶するメモリ手段と、
前記メモリ手段に記憶されたユニーク情報とソース媒体に記録された総トラック数情報および総再生時間情報とを比較してソース媒体の同一性を調べ、同一のソース媒体である場合には、前記メモリ手段に記憶された特定情報と楽曲の絶対時間による開始時間／終了時間とを比較して楽曲の同一性を調べ、同一の楽曲である場合には、記録媒体への複製記録を禁止し、同一のソース媒体でない場合、および同一の楽曲でない場合には、記録媒体への複製記録を許可する情報確認手段と、
前記情報確認手段により複製記録が許可された場合にのみ、ソース媒体から再生された楽曲を記録媒体に複製記録する記録動作制御手段と、
前記記録動作制御手段により複製記録を行ったソース媒体に対応するユニーク情報および、複製記録を終了した時点における楽曲の絶対時間による終了時間を含む特定情報を前記メモリ手段に格納させる情報記憶制御手段と、
を具備することを特徴とする記録装置。
【請求項３】
前記記録動作制御手段により複製記録を行った後から所定時間経過後に、前記メモリ手段に記憶されたユニーク情報および特定情報を消去するクリア手段を更に備えることを特徴とする請求項１または２に記載の記録装置。
【請求項４】
前記情報記憶制御手段は、予め設定された経過時間前に複製記録動作が解除された場合には、前記メモリ手段に対するユニーク情報および特定情報の格納を停止させることを特徴とする請求項１、２または３に記載の記録装置。
【請求項５】
ソース媒体から高速再生された対象情報を記録媒体に複製記録する記録制御方法において、
複製記録を行ったソース媒体を特定する総トラック数情報および総再生時間情報からなるユニーク情報とソース媒体に記録された総トラック数情報および総再生時間情報とを比較してソース媒体の同一性を調べ、同一のソース媒体である場合には、複製記録を行った対象情報の範囲を特定する絶対時間情報に基づく開始時間／終了時間からなる特定情報と対象情報の絶対時間による開始時間とを比較して当該開始時間が複製記録を行った対象情報の範囲内であるかを調べ、範囲内である場合には、記録媒体への複製記録を禁止し、同一のソース媒体でない場合、および当該開始時間が範囲内でない場合には、記録媒体への複製記録を許可する情報確認ステップと、
前記情報確認ステップにて複製記録が許可された場合にのみ、ソース媒体から再生された対象情報を記録媒体に複製記録する記録動作制御ステップと、
前記記録動作制御ステップにて複製記録を行ったソース媒体に対応するユニーク情報および、複製記録を行った対象情報の範囲に対応する特定情報を所定のメモリに格納させる情報記憶制御ステップと、
を具備することを特徴とする記録制御方法。
【請求項６】
ソース媒体から高速再生された対象情報を記録媒体に複製記録する記録制御方法をコンピュータに実行させるためのプログラムを記録した記録媒体において、
複製記録を行ったソース媒体を特定する総トラック数情報および総再生時間情報からなるユニーク情報とソース媒体に記録された総トラック数情報および総再生時間情報とを比較してソース媒体の同一性を調べ、同一のソース媒体である場合には、複製記録を行った対象情報の範囲を特定する絶対時間情報に基づく開始時間／終了時間からなる特定情報と対象情報の絶対時間による開始時間とを比較して当該開始時間が複製記録を行った対象情報の範囲内であるかを調べ、範囲内である場合には、記録媒体への複製記録を禁止し、同一のソース媒体でない場合、および当該開始時間が範囲内でない場合には、記録媒体への複製記録を許可する情報確認ステップと、前記情報確認ステップにて複製記録が許可された場合にのみ、ソース媒体から再生された対象情報を記録媒体に複製記録する記録動作制御ステップと、前記記録動作制御ステップにて複製記録を行ったソース媒体に対応するユニーク情報および、複製記録を行った対象情報の範囲に対応する特定情報を所定のメモリに格納させる情報記憶制御ステップと、を有する記録制御方法をコンピュータに実行させるためのプログラムを記録したコンピュータ読み取り可能な記録媒体。
【発明の詳細な説明】
【０００１】
【発明の属する技術分野】
この発明は、オーディオ信号等の情報を記録媒体に記録し得る記録装置に係り、特に、記録媒体から再生された再生情報を他の記録媒体に記録するに際し、通常の再生速度よりも高速で再生・記録する高速複製記録における著作権等の保護等のための適正な複製管理を行い得る記録装置、記録制御方法およびコンピュータ読み取り可能な記録媒体に関する。
【０００２】
【従来の技術】
例えばＣＤ（コンパクトディスク）（ＣＤ−ＤＡ：CD digital audio）およびＤＶＤ（ディジタルバーサタイルディスク）（DVD Audio、DVD Video）等から再生されるビデオまたはオーディオ情報等のディジタル信号を、記録媒体に記録する場合、アナログ信号として記録するアナログ記録およびＣＤおよびＤＶＤと同様のディジタル信号により記録するディジタル記録が可能である。旧来の記録装置は、磁気テープ等を記録媒体としてアナログ記録を行うのが一般的であった。近年、ディジタル技術の発展にともない、ディジタル記録媒体へのディジタル記録を可能とする記録装置が普及している。ディジタル記録媒体としては、ＭＤ（ミニディスク〜商標）、ＣＤ−Ｒ（ＣＤレコーダブル）、ＣＤ−ＲＷ（ＣＤリライタブル）、ＤＶＤ−ＲＡＭ（ＤＶＤランダムアクセスメモリ）、ＤＶＤ−Ｒ、ＰＣ−ＲＷ、ＤＡＴ（ディジタルオーディオテープ）等が用いられている。
【０００３】
旧来のアナログ記録においては、アナログ信号の再生／記録に伴う情報の劣化および情報量の低下等が避けられない。また、ディジタル記録においても再生情報よりもサンプリングレートおよび量子化ビット数が少ない場合には、一旦アナログ化して再サンプリングするなど、記録するための処理に伴う情報の劣化および情報量の低下等が避けられない。ところが、再生情報と同一またはそれ以上の十分なサンプリングレートおよび量子化ビット数でディジタル記録を行った場合には、原記録媒体に対する情報の劣化および情報量の低下をほとんど生じさせずに、原記録媒体を複製することができる。
【０００４】
このような、ディジタル記録媒体にディジタル記録することが可能な記録装置においては、利用者による私的利用目的の複製が行われる。このような、記録装置、例えばＭＤを記録媒体とする記録装置等においては、複製作業を簡便化する機能の充実が顕著である。しかしながら、ＭＤ等のディジタル記録可能な記録装置における複製機能の充実は、私的利用を超えた複製をも容易にし、原記録媒体等の著作者の持つ著作権、例えば複製権、を侵害する危険をはらんでいる。これに対して、ディジタル記録可能な記録装置では、ＳＣＭＳ（Serial Copy Management System）等の技術を採用し、ディジタル音源からの無制限な複製を防止することが行われている。すなわち、ＳＣＭＳにおいては、例えば、著作権を保護すべき音楽データをＭＤに記録する場合、ＣＤ等のオリジナル記録媒体からＭＤへの一世代目のコピーは可能だが、このようにして記録した一世代目のＭＤの記録データを他のＭＤに「孫コピー」することはできない。このように、ＳＣＭＳでは、複製世代数を制限することにより、私的使用の範囲を超える複製に歯止めをかけている。
【０００５】
なお、このような、ディジタルオーディオ情報における著作権保護については、最近では、ＳＤＭＩ（Secure Digital Music Initiative）により、ディジタルオーディオデータを圧縮記録する技術にも対応する技術を標準化すべく検討が進められている。また、ＭＰＥＧ（moving picture experts group）により仕様策定中の動画・音声の圧縮方式を定める規格ＭＰＥＧ４においては、ＩＰＭＰ（Intellectual Property Management and Protection）と称される知的財産権保護システムとのインタフェースを含むとされている。
【０００６】
また、上述したＭＤ等の記録装置には、利用者の利便のため通常再生よりも短時間での複製を可能とする高速ダビングのための複製の高速記録機能を搭載することが少なくない。すなわち、高速ダビングにおいては、原記録媒体を通常再生速度よりも高速で再生し且つ複製記録媒体に高速で複製を記録する。このため、単に上述したＳＣＭＳにより一世代のみの複製記録を許可するだけでは、記録装置が高速ダビング機能を搭載していれば、許可した一世代の複製を短期間に何度も行うことにより、特定の個人が私的利用の枠を越えて大量に複製を作成することが可能となる。このため、ＳＣＭＳを採用していても、高速記録機能を備えていれば、容易に著作権を侵害するおそれがある。
【０００７】
一方、特開平１１−５３８１８号公報には、例えばＣＤからＭＤにオーディオ情報をコピーする場合、複製履歴の有無、複製回数、複製操作の履歴順位、複製操作の時間間隔、および記録媒体の交換の有無などの操作履歴に応じて複製の禁止、複製速度の制御を行うことができ、運用上認める所定条件をきめ細かく設定することができる記録装置が開示されている。この特開平１１−５３８１８号公報の記録装置では、私的利用の範囲での録音やり直し、編集やり直しなど利用者の利便性を柔軟に確保しつつ、一世代の複製数も確実に制限することができ、著作権侵害となる多量の複製行為の抑制を可能としている。
【０００８】
ところで、上述した特開平１１−５３８１８号公報に開示された記録装置では、オーディオ情報をコピーする場合、所定の付加情報をオーディオ情報に付加し、複製操作にともなってその付加情報を不揮発性ＲＡＭ（ＮＶＲＡＭ：non-volatile RAM）等のメモリに格納する。そして、複製操作に際し、メモリにおける付加情報の格納状況を参照することにより、複製履歴の有無、複製回数、複製操作の履歴順位、複製操作の時間間隔、および記録媒体の交換の有無などの操作履歴を判別し、それに応じて複製の禁止または複製速度の制御を行うようにしている。上述した付加情報は、操作履歴を管理するために利用し得る情報であればどのような情報でもよく、結果として著作権保護等のための複製管理情報としても用いられている。
【０００９】
このように、著作権保護等のための複製管理情報は、複製記録操作にともなってメモリの所定領域に格納され、複製操作時に、複製操作履歴等を管理するために、記録装置の動作を制御するＣＰＵ（中央処理装置）によりアクセスされる。ＣＰＵは、例えばマイクロプロセッサ等を用いて構成され、複製管理情報を格納する記憶領域を有するメモリは、そのＣＰＵの内部または外部に配設される。
【００１０】
ここでは、著作権の保護のための処理の内容として、「通常再生速度における再生時間内で同一ディスクの複製を２つ以上作成することを禁止する」という前提条件が、無節操な複製を防止するために最低限必要になると考えられる。
【００１１】
そこで、例えば、ＣＤからＭＤに倍速ダビング等の高速複製記録を行う際に、高速複製記録した場合、記録後例えば７４分間（ＣＤ等の規格上の最大記録時間）は、同一の対象についての高速複製記録を禁止するようにすることが提案されている。そのため、複製記録の履歴情報として、そのディスクに記録されている情報の目次を示す目次情報つまりＴＯＣ（Table of Contents）情報の総トラック数（ＭＡＸ ＴＮＯ：音楽情報であれば総曲数）および総再生時間（ＭＡＸ ＴＩＭＥ）を記録し、これらの情報に基づいて対象を特定し、履歴管理することが考えられている。この場合、ディスクの総トラック数および総再生時間により特定されるディスクについて、次の高速複製記録までの７４分間の複製記録を禁止する。
【００１２】
【発明が解決しようとする課題】
上述したように、対象ディスクのＴＯＣ情報の総トラック数および総再生時間を用いてディスクを特定し、同一のディスクについて、高速複製記録から次の高速複製記録までの７４分間の複製記録を禁止するようにすると、次のような問題を生じる。ディスク中の少なくとも１トラックつまり１曲について、高速複製記録を行うと、以後の所定時間、例えば７４分、の期間、そのディスクは、高速複製記録しなかった曲についても複製記録をすることができなくなる。また、そのディスクについての高速複製記録中に、誤操作等によって、記録を停止してしまった場合にも以後の７４分間は高速複製記録ができなくなってしまう。これは、著作権保護等のために用いる複製記録の履歴情報として、総トラック数および総再生時間を用いてディスクを特定する情報を用いているため、ディスクに含まれる個々のトラック（曲）毎の高速複製記録の履歴を判別することができないことに起因している。
【００１３】
この発明は、上述した事情に鑑みてなされたもので、具体的な個々の複製記録内容についての履歴を管理することができ、より適正な著作権保護のための複製記録の抑制を可能とし、記録操作の的確な監視制御を達成し得る記録装置、記録制御方法および記録媒体を提供することを目的とする。
【００１４】
【課題を解決するための手段】
上記目的を達成するため、この発明の第１の観点による記録装置は、
ソース媒体から高速再生された対象情報を記録媒体に複製記録する記録装置において、
複製記録を行ったソース媒体を特定する総トラック数情報および総再生時間情報からなるユニーク情報および、複製記録を行った対象情報の範囲を特定する絶対時間情報に基づく開始時間／終了時間からなる特定情報を記憶するメモリ手段と、
前記メモリ手段に記憶されたユニーク情報とソース媒体に記録された総トラック数情報および総再生時間情報とを比較してソース媒体の同一性を調べ、同一のソース媒体である場合には、前記メモリ手段に記憶された特定情報と対象情報の絶対時間による開始時間とを比較して当該開始時間が複製記録を行った対象情報の範囲内であるかを調べ、範囲内である場合には、記録媒体への複製記録を禁止し、同一のソース媒体でない場合、および当該開始時間が範囲内でない場合には、記録媒体への複製記録を許可する情報確認手段と、
前記情報確認手段により複製記録が許可された場合にのみ、ソース媒体から再生された対象情報を記録媒体に複製記録する記録動作制御手段と、
前記記録動作制御手段により複製記録を行ったソース媒体に対応するユニーク情報および、複製記録を行った対象情報の範囲に対応する特定情報を前記メモリ手段に格納させる情報記憶制御手段と、
を具備する。
【００１６】
また、この発明の第２の観点による記録装置は、
ソース媒体から高速再生された各楽曲を記録媒体に複製記録する記録装置において、
複製記録を行ったソース媒体を特定する総トラック数情報および総再生時間情報からなるユニーク情報および、複製記録を行った各楽曲を特定する絶対時間情報に基づく開始時間／終了時間からなる特定情報を記憶するメモリ手段と、
前記メモリ手段に記憶されたユニーク情報とソース媒体に記録された総トラック数情報および総再生時間情報とを比較してソース媒体の同一性を調べ、同一のソース媒体である場合には、前記メモリ手段に記憶された特定情報と楽曲の絶対時間による開始時間／終了時間とを比較して楽曲の同一性を調べ、同一の楽曲である場合には、記録媒体への複製記録を禁止し、同一のソース媒体でない場合、および同一の楽曲でない場合には、記録媒体への複製記録を許可する情報確認手段と、
前記情報確認手段により複製記録が許可された場合にのみ、ソース媒体から再生された楽曲を記録媒体に複製記録する記録動作制御手段と、
前記記録動作制御手段により複製記録を行ったソース媒体に対応するユニーク情報および、複製記録を終了した時点における楽曲の絶対時間による終了時間を含む特定情報を前記メモリ手段に格納させる情報記憶制御手段と、
を具備する。
【００１７】
上記記録装置は、前記記録動作制御手段により複製記録を行った後から所定時間経過後に、前記メモリ手段に記憶されたユニーク情報および特定情報を消去するクリア手段を更に備えてもよい。
【００１８】
前記情報記憶制御手段は、予め設定された経過時間前に複製記録動作が解除された場合には、前記メモリ手段に対するユニーク情報および特定情報の格納を停止させてもよい。
【００１９】
また、この発明の第３の観点による記録制御方法は、
ソース媒体から高速再生された対象情報を記録媒体に複製記録する記録制御方法において、
複製記録を行ったソース媒体を特定する総トラック数情報および総再生時間情報からなるユニーク情報とソース媒体に記録された総トラック数情報および総再生時間情報とを比較してソース媒体の同一性を調べ、同一のソース媒体である場合には、複製記録を行った対象情報の範囲を特定する絶対時間情報に基づく開始時間／終了時間からなる特定情報と対象情報の絶対時間による開始時間とを比較して当該開始時間が複製記録を行った対象情報の範囲内であるかを調べ、範囲内である場合には、記録媒体への複製記録を禁止し、同一のソース媒体でない場合、および当該開始時間が範囲内でない場合には、記録媒体への複製記録を許可する情報確認ステップと、
前記情報確認ステップにて複製記録が許可された場合にのみ、ソース媒体から再生された対象情報を記録媒体に複製記録する記録動作制御ステップと、
前記記録動作制御ステップにて複製記録を行ったソース媒体に対応するユニーク情報および、複製記録を行った対象情報の範囲に対応する特定情報を所定のメモリに格納させる情報記憶制御ステップと、
を具備する。
【００２１】
この発明の第４の観点による記録媒体は、
ソース媒体から高速再生された対象情報を記録媒体に複製記録する記録制御方法をコンピュータに実行させるためのプログラムを記録した記録媒体において、
複製記録を行ったソース媒体を特定する総トラック数情報および総再生時間情報からなるユニーク情報とソース媒体に記録された総トラック数情報および総再生時間情報とを比較してソース媒体の同一性を調べ、同一のソース媒体である場合には、複製記録を行った対象情報の範囲を特定する絶対時間情報に基づく開始時間／終了時間からなる特定情報と対象情報の絶対時間による開始時間とを比較して当該開始時間が複製記録を行った対象情報の範囲内であるかを調べ、範囲内である場合には、記録媒体への複製記録を禁止し、同一のソース媒体でない場合、および当該開始時間が範囲内でない場合には、記録媒体への複製記録を許可する情報確認ステップと、前記情報確認ステップにて複製記録が許可された場合にのみ、ソース媒体から再生された対象情報を記録媒体に複製記録する記録動作制御ステップと、前記記録動作制御ステップにて複製記録を行ったソース媒体に対応するユニーク情報および、複製記録を行った対象情報の範囲に対応する特定情報を所定のメモリに格納させる情報記憶制御ステップと、を有する記録制御方法をコンピュータに実行させるためのプログラムを記録する。
【００２２】
【発明の実施の形態】
以下、この発明の実施の形態を図面を参照して説明する。図１は、この発明の第１の実施の形態に係る記録システムを採用したＣＤ／ＭＤシステムの構成を示しており、図２はその要部の機能構成を示している。
【００２３】
図１に示すＣＤ／ＭＤシステムは、この発明に係る記録システムを用いてＣＤの情報をＭＤに高速およびノーマル速度でダビングする機能を有し、ＣＤドライブ１、ＭＤドライブ２、制御部３、操作部４および表示部５を備えている。
【００２４】
ＣＤドライブ１は、ＣＤの記録面に対峙して設けた光学ピックアップヘッドを有し、ＣＤをセットして駆動してＣＤから記録情報を読み出して再生に供する。ＭＤドライブ２は、ＭＤの記録面に対峙して設けた光学ピックアップヘッドと磁気ヘッドとを有し、ＭＤをセットして駆動してＭＤに記録情報を書き込む。ＭＤドライブ２は、通常の場合、光学ピックアップヘッドを介してＭＤの記録情報を読み出して再生に供する機能も有している。
【００２５】
制御部３は、図１に示すように、ＣＰＵ（中央処理部）３ａおよびメモリ３ｂを有し、図２に示すような各部機能を達成し、ＣＤからＭＤへのディジタルダビング、つまりディジタル複製記録を含む動作を制御する。
【００２６】
ＣＰＵ３ａは、例えばマイクロプロセッサ等を用いて構成され、操作部４の操作に応答して各種機能を達成する。ＣＰＵ３ａは、ＣＤからＭＤへの高速ダビング、すなわち複製の高速記録、が指示されたときは、ＣＤドライブ１からＣＤの記録情報のうちの目次情報、いわゆるＴＯＣ（table of contents）情報、を読み出し、読み出した情報から複製管理情報として用いる著作権情報として、そのＣＤに含まれるトラック（曲）の総数、つまり総トラック数、を示す総トラック数情報（ＭＡＸ ＴＮＯ）およびそのＣＤのトータル再生時間（分、秒、フレーム）を示す総再生時間情報（ＭＡＸ ＴＩＭＥ（MIN, SEC, FRAME））をそれぞれ抽出する。ＣＰＵ３ａは、上述したように、複製の高速記録が指示された際に、メモリ３ｂに既に同一の著作権情報が記憶されていない場合および記憶されていても前回の記録後既に所定時間以上を経過していることが登録されている場合にのみ、著作権の許容する範囲内として複製の高速記録を行うことができる。複製の記録が行われる際に、上述した複製管理情報としての総トラック数情報および総再生時間情報に加えて、ＣＤに格納された絶対時間情報による複製記録の開始時間および終了時間情報がメモリ３ｂに格納される。この複製管理情報は、所定時間、例えばＣＤ等の許容最大記録時間である７４分、を経過すると、所定時間経過した旨が登録されるかまたはメモリ３ｂからクリアされる。一旦、複製管理情報が記憶されると、同一の複製管理情報を有する再生情報については、高速記録を行うと、短時間に多くの複製が作られ、著作権が侵害されるおそれがあるとして、所定時間（７４分）の間は、高速記録を禁止する。なお、複製管理情報には、必要に応じて複製の許可／禁止を直接示す情報を含ませる。
【００２７】
ＣＰＵ３ａは、上述のように、ＣＤから読み出した複製管理情報を解読し、さらにメモリ３ｂの複製管理情報の格納領域を参照して既に記憶されている複製管理情報と照合する。ＣＰＵ３ａは、ＣＤから読み出した複製管理情報が、メモリ３ｂに既に記憶されている複製管理情報と一致しない場合、既に記憶されている複製管理情報と一致しても、新たに複製記録しようとする対象情報のＣＤの絶対時間による記録開始時間が、メモリ３ｂに格納された過去の複製記録の絶対時間による開始時間から終了時間までの範囲に該当しない場合、および複製管理情報が一致し且つ絶対時間による開始時間から終了時間までの範囲に該当しても、所定時間を経過した旨が登録されている場合にのみ、複製管理情報をメモリ３ｂに格納しまたは格納内容を更新し、高速記録動作を許可して、ＭＤドライブ２に通常再生速度よりも高速な高速記録動作を指示する。なお、ＣＤから読み出した情報から抽出した複製管理情報が複製禁止とすべきことを示している場合、複製管理情報を解読することができない場合、既に記憶されている複製管理情報と一致し且つ新たに複製記録しようとする対象情報のＣＤの絶対時間による記録開始時間が、メモリ３ｂに格納された過去の複製記録の絶対時間による開始時間から終了時間までの範囲に該当する場合、および複製管理情報が一致し且つ絶対時間による開始時間から終了時間までの範囲に該当し、所定時間を経過した旨が登録されていない場合には、ＣＰＵ３ａは、著作権の保護を保証することができないため、高速記録動作を禁止する。
【００２８】
メモリ３ｂは、例えば、ＣＰＵ３ａを構成する制御用のマイクロプロセッサに内蔵されたＲＡＭ等からなり、複製管理情報、絶対時間による開始／終了時間、所定時間の経過を示す登録情報等を格納する格納領域を有する。
【００２９】
ＭＤドライブ２は、高速記録動作時等の記録動作時には、ＣＰＵ３ａの制御により、ＣＤドライブ１から読み出されたオーディオ情報等の情報を、ＭＤドライブ２にセットされたＭＤに書き込む。
【００３０】
操作部４は、ユーザにより操作され、その操作に基づいて、このＣＤ／ＭＤシステムの高速記録等の動作等を指示するための情報をＣＰＵ３ａに与える。表示部５は、制御部３のＣＰＵ３ａにより制御されて、警報部による警報表示、音声合成等を用いた音声表示部による音声表示、文字表示部による文字表示、および画像表示部による図形表示等のうちの少なくともいずれかによる表示を行う機能を有し、このＣＤ／ＭＤシステムにおける種々の動作状態等を表示する。
【００３１】
ＣＰＵ３ａは、図２に示すように、読み出し処理部３１、ＴＯＣ／絶対時間情報確認部３２、ＴＯＣ／絶対時間情報制御部３３、メモリアクセス制御部３４、タイマ処理部３５、および記録制御部３６としての機能を有している。これら各部は、かならずしもハードウェアにより構成する必要はなく、ソフトウェアによる処理機能として実現することもできる。
【００３２】
読み出し処理部３１は、ＣＤドライブ１にセットされたＣＤから読み出した情報を処理し、そのＣＤの総トラック数および総再生時間情報を含むＴＯＣ情報を抽出する。ＴＯＣ情報中の総トラック数および総再生時間情報は、複製管理情報として用いられる。
【００３３】
ＴＯＣ／絶対時間情報確認部３２は、抽出された複製管理情報と一致する複製管理情報が、メモリ３ｂの複製管理情報の格納領域に既に格納されているか否かを、メモリアクセス制御部３４を介して確認する。このとき、ＴＯＣ／絶対時間情報確認部３２は、ＴＯＣ情報中の複製禁止フラグを調べ、複製可能（複製禁止となっていない）であるか否かを確認するようにしてもよい。
【００３４】
さらに、ＴＯＣ／絶対時間情報確認部３２は、抽出された複製管理情報と一致する複製管理情報が、メモリ３ｂの複製管理情報の格納領域に既に格納されている場合には、そのＣＤが前回高速複製記録されてから所定時間、この場合７４分、を経過した旨が登録されているか否かを、メモリアクセス制御部３４を介して確認する。
【００３５】
そして、ＴＯＣ／絶対時間情報確認部３２は、そのＣＤが前回高速複製記録されてから所定の７４分を経過した旨が登録されていない場合には、メモリ３ｂに格納されている絶対時間による記録開始時間および記録終了時間情報を調べ、新たに記録しようとする対象情報の記録開始位置が、絶対時間による記録開始時間から記録終了時間までの範囲内に入っているか否かを、メモリアクセス制御部３４を介して確認する。絶対時間情報は、ＣＤに記録情報と共に記録されており、記録情報の先頭を「０」とし、一定の増分で記録情報の最後まで単調増加する時間情報であり、ＣＤ全体を連続再生した際の再生開始からの経過時間に対応する。
【００３６】
ＴＯＣ／絶対時間情報記憶制御部３３は、ＴＯＣ／絶対時間情報確認部３２により確認された複製管理情報と一致する複製管理情報が、メモリ３ｂの複製管理情報の格納領域に既に格納されていないと、ＴＯＣ／絶対時間情報確認部３２において判定された場合に、メモリアクセス制御部３４を介してその複製管理情報を、以後の複製禁止を示す禁止フラグを含めて、メモリ３ｂの複製管理情報の格納領域に記憶させ且つその対象情報の高速複製記録を許可する。
【００３７】
また、ＴＯＣ／絶対時間情報記憶制御部３３は、ＴＯＣ／絶対時間情報確認部３２により確認された複製管理情報と一致する複製管理情報が、メモリ３ｂの複製管理情報の格納領域に既に格納されているが、そのＣＤに関する前回の高速複製記録開始から所定の７４分が経過していると、ＴＯＣ／絶対時間情報確認部３２において判定された場合にも、メモリアクセス制御部３４を介してその複製管理情報を、以後の複製禁止を示す禁止フラグを含めて、メモリ３ｂの複製管理情報の格納領域に更新記憶させ且つその対象情報の高速複製記録を許可する。
【００３８】
さらに、ＴＯＣ／絶対時間情報記憶制御部３３は、ＴＯＣ／絶対時間情報確認部３２により確認された複製管理情報と一致する複製管理情報が、メモリ３ｂの複製管理情報の格納領域に既に格納され、そのＣＤに関する前回の高速複製記録開始から所定の７４分が経過していないが、新たに複製記録しようとしている対象情報が絶対時間による記録開始時間から記録終了時間までの範囲に入らないとＴＯＣ／絶対時間情報確認部３２において判定された場合にも、メモリアクセス制御部３４を介してその複製管理情報を、以後の複製禁止を示す禁止フラグを含めて、メモリ３ｂの複製管理情報の格納領域に更新記憶させ且つその対象情報の高速複製記録を許可する。
【００３９】
このようにして、高速複製記録が許可された場合、ＴＯＣ／絶対時間情報記憶制御部３３は、記録制御部３６を介してＭＤドライブ２を制御して、ＣＤドライブ１によってＣＤから読み出された情報を高速記録動作によりＭＤに書き込ませる。タイマ処理部３５は、高速記録動作の開始以後の経過時間を計時し、その経過時間が上述した所定の７４分に達すると、メモリ３ｂ内の該当する複製管理情報に所定時間が経過した旨を登録する。なお、メモリ３ｂ内の該当する複製管理情報に所定時間が経過した旨を登録する代わりに該当する複製管理情報をメモリ３ｂからクリアするようにしてもよい。
【００４０】
記録制御部３６は、ＴＯＣ／絶対時間情報記憶制御部３３により指示された場合にのみ、ＣＤから読み出された情報をＭＤドライブ２によりＭＤに高速記録させ、それ以外の場合には高速記録を行わせない。記録制御部３６は、ＣＤから読み出された情報をＭＤドライブ２によりＭＤに高速記録させる際に、絶対時間による記録開始時間および記録終了時間情報をメモリアクセス制御部３４を介してメモリ３ｂに、複製管理情報に対応させて格納する。
【００４１】
メモリアクセス制御部３４は、ＴＯＣ／絶対時間情報確認部３２、ＴＯＣ／絶対時間情報記憶制御部３３およびタイマ処理部３５によるメモリ３ｂの複製管理情報、所定時間経過の有無の登録情報および絶対時間による記録開始／終了時間情報からなる絶対時間情報の格納領域のアクセスを制御する。
【００４２】
次に、図１および図２のＣＤ／ＭＤシステムの動作における複製管理情報を用いた高速ダビングにおける複製記録処理の流れについて図３に示すフローチャートを参照して説明する。
【００４３】
操作部４の操作により、表示部５による操作状況の表示を参照するなどしながら、例えばＣＤからＭＤへの高速ダビングのための高速記録動作が指示されると、そのＣＤについて最初の高速記録等のように複製記録が許可される場合には、図３に示すような複製記録処理が行われる。複製記録処理が開始されると、制御部３を構成するＣＰＵ３ａのＴＯＣ／絶対時間情報確認部３２は、読み出し処理部３１を介してＣＤドライブ１からセットされたＣＤのＴＯＣ情報を読み出し、総トラック数（ＭＡＸ ＴＮＯ）および総再生時間（ＭＡＸ ＴＩＭＥ）を読み出し、メモリアクセス制御部３４を介してメモリ３ｂを参照して、複製記録の可否を確認する。複製記録の可否の判定処理については後述する（図５参照）。
【００４４】
複製記録が許可されていると、ＴＯＣ／絶対時間情報確認部３２は、ＴＯＣ／絶対時間情報記憶制御部３３に、総トラック数（ＭＡＸ ＴＮＯ）および総再生時間（ＭＡＸ ＴＩＭＥ）情報を転送する。ＴＯＣ／絶対時間情報記憶制御部３３は、これら総トラック数（ＭＡＸ ＴＮＯ）および総再生時間（ＭＡＸ ＴＩＭＥ）情報を、複製管理情報としてメモリアクセス制御部３４を介してメモリ３ｂに書き込み（ステップＳ１１）、記録制御部３６に複製記録を指令する。
【００４５】
記録制御部３６は、複製記録が指令されると、操作部４により指定された対象情報を読み出し処理部３１を介してＣＤから読み出し、ＭＤへ複製記録を開始する。このとき、ＣＤに記録された絶対時間情報に基づき対象情報の開始時の絶対時間情報をメモリアクセス制御部３４を介してメモリ３ｂに書き込むとともに、タイマ処理部３５により所定の７４分のタイマを起動する（ステップＳ１２）。記録制御部３６は、こうして対象情報を複製記録する（ステップＳ１３）。
【００４６】
ここで絶対時間情報について具体的に説明する。例えば音楽情報が３曲記録されたＣＤの場合、各トラックつまり各曲の構成は、図４に示すようになる。すなわち、１曲目の前にリードイン（導入）部分が存在し、このリードイン部分に続いて１曲目が記録され、１曲目に続いて曲間部分を介して２曲目が記録され、さらに２曲目に続いて曲間部分を介して３曲目が記録され、３曲目のあとにリードアウト（導出）部分が存在する。図４に示すように、１曲目、２曲目および３曲目の各トラック内の経過時間の他に、１曲目の先頭部分を起点として最終トラックである３曲目の末尾部分までの連続する時間を示すものが絶対時間情報である。
【００４７】
記録制御部３６は、指定された対象情報の複製記録が終了すると、ＣＤに記録された絶対時間情報に基づき複製記録の対象情報の終了時の絶対時間情報をメモリアクセス制御部３４を介してメモリ３ｂに書き込み（ステップＳ１４）、一連の複製記録処理を終了する。
【００４８】
ＴＯＣ／絶対時間情報確認部３２による複製記録の可否の判定処理の詳細を、図５に示すフローチャートを参照して説明する。ＴＯＣ／絶対時間情報確認部３２は、まず、複製記録しようとして新たにセットされたＣＤと同一のＣＤを、過去に複製記録したことがあるかを調べる。そのために、ＴＯＣ／絶対時間情報確認部３２は、ＴＯＣ情報から抽出した複製管理情報としての総トラック数（ＭＡＸ ＴＮＯ）および総再生時間（ＭＡＸ ＴＩＭＥ）情報に基づき、新たにセットされたＣＤから読み出した情報と、メモリ３ｂに格納された情報とが同一か否かを判別する（ステップＳ２１）。
【００４９】
同一のＣＤの複製管理情報がメモリ３ｂに格納されている場合、ＴＯＣ／絶対時間情報確認部３２は、前回の記録開始以後所定の７４分が経過しているか否かを判別する（ステップＳ２２）。タイマ処理部３５は、記録開始時にタイマが起動されてから、所定の７４分が経過すると、その旨を、該当する複製管理情報に対応してメモリ３ｂに登録する。このため、この所定の７４分の経過の有無は、ＴＯＣ／絶対時間情報確認部３２が、メモリ３ｂの該当領域を参照することにより判別することができる。
【００５０】
同一のＣＤの複製管理情報がメモリ３ｂに格納されていて、前回の記録開始以後所定の７４分が経過していない場合、ＴＯＣ／絶対時間情報確認部３２は、指定された対象情報の絶対時間による開始時間が、前回の複製記録時にメモリ３ｂに格納された絶対時間による開始時間から終了時間までの範囲に入っているか否かを判定する（ステップＳ２３）。
【００５１】
ＴＯＣ／絶対時間情報確認部３２が、指定された対象情報の絶対時間による開始時間が、前回の複製記録時にメモリ３ｂに格納された絶対時間による開始時間から終了時間までの範囲に入っていると判定した場合には、ＴＯＣ／絶対時間情報確認部３２は、複製記録を禁止して処理を終了する（ステップＳ２４）。
【００５２】
ＴＯＣ／絶対時間情報確認部３２は、ステップＳ２１において、新たにセットされたＣＤから読み出した複製管理情報としての総トラック数（ＭＡＸ ＴＮＯ）および総再生時間（ＭＡＸ ＴＩＭＥ）情報が、メモリ３ｂに格納された情報と同一でないと判定された場合には、複製記録を許可して処理を終了する（ステップＳ２５）。また、ＴＯＣ／絶対時間情報確認部３２は、ステップＳ２２において、前回の記録開始以後所定の７４分が経過していると判定された場合にも、ステップＳ２５に移行し、複製記録を許可して処理を終了する。さらに、ＴＯＣ／絶対時間情報確認部３２は、ステップＳ２３において、指定された対象情報の絶対時間による開始時間が、前回の複製記録時にメモリ３ｂに格納された絶対時間による開始時間から終了時間までの範囲に入っていないと判定された場合にも、ステップＳ２５に移行し、複製記録を許可して処理を終了する。
【００５３】
上述したように、倍速ダビング録音等の高速複製記録時に、ＣＤ等のＴＯＣ情報における総トラック数（ＭＡＸ ＴＮＯ）および総時間情報（ＭＡＸ ＴＩＭＥ）を複製管理情報としてメモリ３ｂに格納する。それに加えて、複製記録する対象情報の領域先頭および領域末尾をＣＤ等に記録されている絶対時間による記録開始時間および記録終了時間としてメモリ３ｂに格納する。ＣＤ等のディスク上の絶対時間は、図４に示したように、記録情報の先頭を「０」とし、記録情報の末尾までの標準再生時の経過時間に対応して単調に増加する時間情報である。
【００５４】
そして、高速複製記録を行おうとするときには、そのＣＤの総トラック数（ＭＡＸ ＴＮＯ）および総時間情報（ＭＡＸ ＴＩＭＥ）が、過去７４分以内に複製記録されたものと同一であるか否かを調べる。同一であった場合には、複製記録しようとする個所が、過去７４分以内に複製記録した絶対時間範囲に重なるか否かを調べ、それをもとに複製記録の許可／禁止を決定する。
【００５５】
すなわち、複製記録する際に、記録しようとするＣＤ等のディスク情報としてＴＯＣ等に基づくディスク固有の情報と共に、複製記録の開始および終了時間を絶対時間により記録し、複製記録された曲や複製記録状況の判定に供する。このように、複製記録の開始および終了時間を絶対時間情報にて記録することにより、ディスク上の高速複製記録個所を特定することができる。したがって、要求された高速複製記録の対象個所が、直前７４分以内に高速複製記録した個所以外であれば、続けて高速複製記録することができる。
【００５６】
また、このように記録の開始および終了時間を絶対時間情報にて記録すれば、記録を開始した直後に録音終了したり、トラック（曲）の途中で記録が終了したりした場合には、記録要求範囲を、予め絶対時間情報として設定または取得することができれば、誤操作または異常終了の判定比較に用いて、録音状況を判定することが可能となる。このような記録システムの一例が、この発明の第２の実施の形態である。
【００５７】
図６は、この発明の第２の実施の形態に係る記録システムを採用したＣＤ／ＭＤシステムにおける例えばワンタッチ記録等の記録処理を示すフローチャートである。この第２の実施の形態のＣＤ／ＭＤシステムの構成は、図１に示したものとおおむね同様であるとする。
【００５８】
例えば、音楽ＣＤにおいて、ワンタッチで、その時選択されている曲やプログラム再生でプログラムされている曲を複製記録するワンタッチ記録や、曲目や曲順をプログラムして複製記録するプログラム記録を行うことができる場合がある。このような場合、複製記録が開始されると、まず、制御部３のＣＰＵ３ａは、記録開始および記録終了の予定時間を絶対時間で設定し、メモリ３ｂに格納する（ステップＳ３１）。次に、複製記録を開始し、実際の記録開始時間をやはり絶対時間でメモリ３ｂに格納する（ステップＳ３２）。そして、複製記録が行われ、複製記録が終了すると、実際の記録終了時間をやはり絶対時間でメモリ３ｂに格納する（ステップＳ３３）。
【００５９】
次に、ＣＰＵ３ａは、ステップＳ３２およびＳ３３にて絶対時間で格納した実際の記録の開始および終了時間と、ステップＳ３１にて絶対時間で格納した予定時間とを、メモリ３ｂから取り出して比較し（ステップＳ３４）、両者が一致すれば正常終了であるとしてその旨を表示部５に表示させ（ステップＳ３５）、処理を終了する。また、ステップＳ３４において、両者が一致しなければ、ＣＰＵ３ａは、異常終了であるとしてその旨を表示部５に表示させ（ステップＳ３６）、処理を終了する。
【００６０】
このようにすることにより、ワンタッチ記録（録音）や、プログラム記録（録音）等による複製記録操作時に、誤動作または停電等により、記録が異常終了した場合にもそれを検知することが可能となる。
【００６１】
なお、上述においては、高速複製記録時に、メモリ３ｂに総トラック数／総時間情報および記録開始および記録終了の絶対時間を記録し、記録開始から所定時間つまり７４分を経過すれば、経過した旨をメモリ３ｂに格納するようにしたが、所定時間つまり７４分を経過した時点で、メモリ３ｂから総トラック数／総時間情報および記録開始および記録終了の絶対時間を削除するようにしてもよい。この場合、所定時間経過の有無を、記録情報の有無で判定することになる。
【００６２】
また、高速複製記録が禁止される場合、高速複製記録指示後、直ちに無条件で禁止状態とせずに、１曲目の再生を開始した時点または予め設定した数秒、例えば約４秒、を経過した時点で、禁止するようにしてもよい。さらに、高速複製記録が禁止される場合、高速複製記録指示後、直ちに無条件で禁止状態とせずに、ＭＤの記録が開始されたとき禁止状態とし、それまでの間にストップ操作が行われた場合には、メモリ３ｂの総トラック数／総時間情報および記録開始および記録終了の絶対時間情報をクリアしてしまうようにしてもよい。また、ＣＤのＴＯＣ情報を読み取ったとき、そのＣＤのトータル時間を総時間情報として記憶しているので、高速複製記録を禁止する所定時間を７４分とせずに、総時間（ＭＡＸＴＩＭＥ）情報による総時間を所定時間として用いてもよい。
【００６３】
さらに、上述においては、倍速ダビング等の高速複製記録を制限するものとしたが、ノーマルダビング等の通常速度の複製記録を制限するようにしてもよい。
【００６４】
また、上述においては、ＣＤからＭＤへの複製の高速記録について説明したが、原記録媒体つまりソース媒体としては、ＭＤ等のような他のディスク媒体、ＤＡＴのような磁気テープ媒体、並びにＳＤカード等の各種スモールカードおよびメモリスティック（商標）等の固体不揮発性メモリ媒体等の種々の記録媒体を用いることができ、複製記録媒体としては、ＣＤ−Ｒ、ＣＤ−ＲＷ、ＤＶＤ−ＲＡＭ、ＤＶＤ−Ｒ、ＰＣ−ＲＷ等のような他のディスク媒体、ＤＡＴ等の磁気テープ媒体、および固体不揮発性メモリ媒体等の種々の記録媒体を用いることができる。
【００６５】
また、上述においては、ＴＯＣ情報の総トラック数および総時間情報を複製管理情報として用いるようにしたが、ＳＣＭＳ等に対応する音楽および映像等のディジタル情報が通常備えている記録状態情報をも複製管理情報として用いてもよい。
【００６６】
また、この発明の記録システムの少なくとも一部は、専用のシステムとして構成することなく、通常のコンピュータシステムを用いて実現することができる。例えば、コンピュータシステムに上述の動作を実行するためのプログラムを格納した媒体（フロッピーディスク、ＣＤ−ＲＯＭ等）から該プログラムをインストールすることにより、上述の処理を実行する記録装置を構築することができる。インストールによって、当該プログラムは、コンピュータシステム内のハードディスク等の媒体に格納されて、記録装置を構成し、実行に供される。
【００６７】
また、インターネット等の通信ネットワーク上に設けたＦＴＰ（File Transfer Protocol）サーバに当該プログラムを登録し、ＦＴＰクライアントにネットワークを介して配信してもよく、通信ネットワークの電子掲示板（ＢＢＳ：Bulletin Board System）等に該プログラムを登録し、これをネットワークを介して配信してもよい。そして、このプログラムを起動し、ＯＳ（Operating System）の制御下において実行することにより、上述の処理を達成することができる。さらに、通信ネットワークを介してプログラムを転送しながら起動実行することによっても、上述の処理を達成することができる。
【００６８】
【発明の効果】
以上説明したように、この発明によれば、具体的な個々の複製記録内容についての履歴を管理することができ、より適正な著作権保護のための複製記録の抑制を可能とし、記録操作の的確な監視制御を達成し得る記録装置、記録制御方法および記録媒体を提供することができる。
【図面の簡単な説明】
【図１】この発明の第１の実施の形態に係る記録システムを適用したＣＤ／ＭＤシステムの構成を模式的に示すブロック図である。
【図２】図１のＣＤ／ＭＤシステムの要部の構成を模式的に示すブロック図である。
【図３】図１のＣＤ／ＭＤシステムにおける複製記録処理動作を説明するためのフローチャートである。
【図４】ＣＤ等のディスク上に記録される絶対時間情報を説明するための図である。
【図５】図１のＣＤ／ＭＤシステムにおける記録可否判定処理を説明するためのフローチャートである。
【図６】この発明の第２の実施の形態に係る記録システムを適用したＣＤ／ＭＤシステムにおけるワンタッチ録音等の記録処理動作を説明するためのフローチャートである。
【符号の説明】
１    ＣＤ（コンパクトディスク）ドライブ
２    ＭＤ（ミニディスク）ドライブ
３    制御部
３ａ    ＣＰＵ（中央処理部）
３ｂ    メモリ
４    操作部
５    表示部
３１    読み出し処理部
３２    ＴＯＣ／絶対時間情報確認部
３３    ＴＯＣ／絶対時間情報記憶制御部
３４    メモリアクセス制御部
３５    タイマ処理部
３６    記録制御部
【図１】
0003765702.tif 000002
【図２】
0003765702.tif 000003
【図３】
0003765702.tif 000004
【図４】
0003765702.tif 000005
【図５】
0003765702.tif 000006
【図６】
0003765702.tif 000007